(57)【要約】【課題】  画像撮影装置の操作性と画像表示機能を向上させる。【解決手段】  撮影した画像を表示させる表示部１０２のＬＣＤ１１１とは別に、撮影装置本体１０１にもＬＣＤ１０４を備え、このＬＣＤ１０４を表示部１０２で表示させる画像の選択あるいは調整のために適用して、ユーザが、表示部１０２に表示される画面を見ながら、画像選択、画像調整を実行できるようにした。さらに、表示部１０２のＬＣＤ１１１と撮影装置本体１０１のＬＣＤ１０４にそれぞれ異なる画像を表示させるように構成した。それによって、画像撮影装置の操作性と画像表示機能を向上させるものである。【選択図】  図１
2005318258.tif 000002
【特許請求の範囲】
【請求項１】
光学像を電気信号に変換して出力する撮影手段と、
この撮影手段から出力される電気信号を静止画像信号または動画像信号として記録媒体に記録し、かつ記録媒体から再生する記録再生手段と、
第１及び第２の液晶表示手段と、
前記撮影手段から出力される電気信号に基づく画像または前記記録媒体から再生された静止画像信号または動画像信号に基づく画像を選択的に前記第１及び第２の液晶表示手段で表示させる制御手段と、
を具備したことを特徴とする画像撮影装置。
【請求項２】
光学像を電気信号に変換して出力する撮影手段と、
この撮影手段から出力される電気信号を静止画像信号として記録媒体に記録し、かつ記録媒体から再生する記録再生手段と、
第１及び第２の表示手段と、
前記第１の表示手段に前記記録媒体に記録された静止画像信号のサムネイル画像を表示すると共に、前記サムネイル画像から選択された画像の画像信号を前記記録媒体から再生してその画像を前記第２の表示手段で表示させる制御手段と、
を具備したことを特徴とする画像撮影装置。
【請求項３】
前記制御手段は、カーソルによって前記サムネイル画像の一つを選択するものであることを特徴とする請求項２に記載の画像撮影装置。
【請求項４】
光学像を電気信号に変換して出力する撮影手段と、
この撮影手段から出力される電気信号を静止画像信号として記録媒体に記録し、かつ記録媒体から再生する記録再生手段と、
第１及び第２の表示手段と、
前記撮影手段から出力される電気信号に基づく画像または前記記録媒体から再生された静止画像信号基づく画像を前記第１の表示手段で表示させると共に、前記第２の表示手段に前記第１の表示手段で表示されている画像のズーム画像を表示させる制御手段と、
を具備したことを特徴とする画像撮影装置。
【請求項５】
前記制御手段は、前記第１の表示手段に表示された画像に対してズーム対象範囲を示す枠を重畳表示させるものであることを特徴とする請求項４に記載の画像撮影装置。
【請求項６】
前記制御手段は、前記第１の表示手段に、前記撮影手段から出力される電気信号に基づく画像を表示させると共に、前記第２の表示手段に、前記記録媒体に最も新しく記録された静止画像信号を再生してこの静止画像信号に基づく画像を表示させるものであることを特徴とする請求項１に記載の画像撮影装置。
【請求項７】
前記制御手段は、前記第１の表示手段に、前記記録媒体から再生された動画像信号に基づく画像を表示さると共に、前記第２の表示手段に、前記記録媒体から前記動画に関連する静止画像信号を再生して、この静止画像信号に基づく画像を表示させるものであることを特徴とする請求項１に記載の画像撮影装置。
【請求項８】
光学像を電気信号に変換して出力する撮影手段と、
この撮影手段から出力される電気信号を静止画像信号または動画像信号として記録媒体に記録し、かつ記録媒体から再生する記録再生手段と、
第１の表示手段と、
タッチパネルとして構成された第２の表示手段と、
前記第１の表示手段に前記記録媒体から再生された動画像信号に基づく画像を表示させ、前記第２の表示手段に前記第1の表示手段で表示されている動画像の表示状態を変更するタッチパネル構成のジョグダイアルを表示させる制御手段と、
を具備したことを特徴とする画像撮影装置。
【請求項９】
前記制御手段は、前記ジョグダイアルとして前記第1の表示手段で表示されている画像の時間軸を変更するものであることを特徴とする請求項８に記載の画像再生装置。
【請求項１０】
光学像を電気信号に変換して出力する撮影手段と、
この撮影手段から出力される電気信号を静止画像信号として記録媒体に記録し、かつ記録媒体から再生する記録再生手段と、
タッチパネルとして構成された第１の表示手段と、
第２の表示手段と、
前記第１の表示手段に前記撮影手段または前記記録再生手段の動作を設定するための表示を行い、前記第２の表示手段に、設定の結果の画像を表示する制御手段と、
を具備したことを特徴とする画像撮影装置。
【請求項１１】
光学像を電気信号に変換して出力する撮影手段と、
この撮影手段から出力される電気信号を静止画像信号または動画像信号として記録媒体に記録し、かつ記録媒体から再生する記録再生手段と、
第１及び第２の表示手段と、
前記第１の表示手段に前記撮影手段から出力される電気信号に基づく画像または前記記録媒体から再生された画像信号に基づく画像を表示させると共に、前記第２の表示手段で前記第１の表示手段における画像表示を制御する制御手段と、
を具備したことを特徴とする画像撮影装置。
【請求項１２】
画像撮影装置が、表示部と撮影装置本体とで構成され、前記第１の表示手段または第２の表示手段のいずれかが前記表示部に設けられ、前記撮影装置本体に他方の表示手段が設けられ、前記表示部がその表示手段の表示面の、前記影装置本体の表示手段に対する角度を変更可能となるように構成されていることを特徴とする請求項１乃至１１のいずれかに記載の画像撮影装置。
【発明の詳細な説明】
【技術分野】
【０００１】
本発明は、画像撮影装置に関し、特に画像を表示する表示部を２個備え、撮影中の画像、あるいは撮影した画像を機能的に表示させることを可能にした画像撮影装置に関する。
【背景技術】
【０００２】
撮影素子として、ＣＣＤ（Charge Coupled Device）等の個体撮影素子を用い、撮影したデータをフラッシュメモリ等の不揮発性メモリカードの記憶させるようにした電子スチルカメラが市場に登場して久しいが、撮影素子の高解像度化、メモリカードの大容量化が進み、最近では、静止画像だけでなく、動画像をもメモリカードに記憶させる機能を持った製品が市場に提供されつつある。
【０００３】
さらにまた、動画撮影用の記憶媒体としてＤＶＤ（Digital Versatile Disk）を適用した装置も開発されており、このような画像撮影装置は、基本的性能の向上と共に、操作性についてもさらに多様性が追求されてくるものと思われる。
【０００４】
一般に、このような画像撮影装置は、液晶表示手段等で構成される数インチ程度の大きさのモニタを備えており、撮影する際に、撮影しようとする画像をモニタに映して確認したり、あるいは撮影した画像データをメモリから読み出して、モニタに表示させ、その場で実際に撮影した画像を確認できる機能を有している。
【０００５】
モニタはその画面がさほど大きくないため、その使い方としては前述したような撮影しようとする画像及び撮影した画像の確認の他、動作モード、バッテリの消費量（残量）、メモリカードの消費量（残量）の表示に使われる程度であり、多様性があるものとは言い難い。
【０００６】
このような画像撮影装置においては、当然ながら、屋外で使用されることも多く、その際の操作性を向上させるということは、製品価値を高めることに繋がるものである。操作性を向上させるために表示機能を充実させることは重要なポイントであると考えられるが、従来その点を改善のターゲットとした提案はあまりなされていないのが実状である。
【０００７】
例えば、特許文献１には、モニタ用のＬＣＤ（Liquid Crystal Display）を用いて撮影済みのデータの検索を行うようにした提案がなされている。さらに特許文献２には、ＬＣＤでカメラステータスの設定条件を表示させるようにした提案がなされ、さらに、特許文献３には、表示手段をタッチパネルとして構成して、撮影装置の操作指令を行うようにした提案がなされている。
【０００８】
これら提案はいずれも、相当の表示面積を有した表示手段が１つ設けられて、この表示手段で、条件の設定、操作指令を行うものであり、使い方が限定されてしまって、多機能な操作性を実現することはできない。
【特許文献１】特開２００１−２０３９７３号公報
【特許文献２】特開２００１−１７７７４２号公報
【特許文献３】特開２０００−１８４２４１号公報
【発明の開示】
【発明が解決しようとする課題】
【０００９】
以上のように、従来、画像撮影装置において、操作性に多様性を持たせることが要望としてあるが、それを満足させるような提案はなされていない。
【００１０】
本発明は、以上の点に鑑みてなされたものであり、表示手段を２個備えて、それを有効に用いて操作性に多様性をもたらすことを可能にした、画像撮影装置を提供することを目的とする。
【課題を解決するための手段】
【００１１】
本発明の画像撮影装置は、光学像を電気信号に変換して出力する撮影手段と、この撮影手段から出力される電気信号を静止画像信号または動画像信号として記録媒体に記録し、かつ記録媒体から再生する記録再生手段と、第１及び第２の液晶表示手段と、前記撮影手段から出力される電気信号に基づく画像または前記記録媒体から再生された静止画像信号または動画像信号に基づく画像を選択的に前記第１及び第２の液晶表示手段で表示させる制御手段と、を具備したことを特徴とする。
【００１２】
また、本発明の画像撮影装置は、光学像を電気信号に変換して出力する撮影手段と、この撮影手段から出力される電気信号を静止画像信号として記録媒体に記録し、かつ記録媒体から再生する記録再生手段と、第１及び第２の表示手段と、前記第１の表示手段に前記記録媒体に記録された静止画像信号のサムネイル画像を表示すると共に、前記サムネイル画像から選択された画像の画像信号を前記記録媒体から再生してその画像を前記第２の表示手段で表示させる制御手段と、を具備したことを特徴とする。
【００１３】
さらに本発明の画像撮影装置は、光学像を電気信号に変換して出力する撮影手段と、この撮影手段から出力される電気信号を静止画像信号として記録媒体に記録し、かつ記録媒体から再生する記録再生手段と、第１及び第２の表示手段と、前記撮影手段から出力される電気信号に基づく画像または前記記録媒体から再生された静止画像信号基づく画像を前記第１の表示手段で表示させると共に、前記第２の表示手段に前記第１の表示手段で表示されている画像のズーム画像を表示させる制御手段と、を具備したことを特徴とする。
【００１４】
さらに本発明の画像撮影装置は、光学像を電気信号に変換して出力する撮影手段と、この撮影手段から出力される電気信号を静止画像信号または動画像信号として記録媒体に記録し、かつ記録媒体から再生する記録再生手段と、第１の表示手段と、タッチパネルとして構成された第２の表示手段と、前記第１の表示手段に前記記録媒体から再生された動画像信号に基づく画像を表示させ、前記第２の表示手段に前記第1の表示手段で表示されている動画像の表示状態を変更するタッチパネル構成のジョグダイアルを表示させる制御手段と、を具備したことを特徴とする。
【００１５】
さらに本発明の画像撮影装置は、光学像を電気信号に変換して出力する撮影手段と、この撮影手段から出力される電気信号を静止画像信号として記録媒体に記録し、かつ記録媒体から再生する記録再生手段と、タッチパネルとして構成された第１の表示手段と、第２の表示手段と、前記第１の表示手段に前記撮影手段または前記記録再生手段の動作を設定するための表示を行い、前記第２の表示手段に、設定の結果の画像を表示する制御手段と、を具備したことを特徴とする。
【００１６】
さらに本発明の画像撮影装置は、光学像を電気信号に変換して出力する撮影手段と、この撮影手段から出力される電気信号を静止画像信号または動画像信号として記録媒体に記録し、かつ記録媒体から再生する記録再生手段と、第１及び第２の表示手段と、前記第１の表示手段に前記撮影手段から出力される電気信号に基づく画像または前記記録媒体から再生された画像信号に基づく画像を表示させると共に、前記第２の表示手段で前記第１の表示手段における画像表示を制御する制御手段と、を具備したことを特徴とする。
【発明の効果】
【００１７】
本発明によれば、２つの表示手段を設けたので、一方の表示手段を、操作用の表示手段として適用でき、その結果、他方の表示手段で表示される実際の画像を見ながら、表示画像の選択、ズーム調整、画質調整等を実行することできるため、操作性を著しく向上させることができるものである。
【００１８】
また、さらに２つの表示手段をそれぞれ単独で用いて、異なる種類の画像を同時に表示させるように構成することも可能であり、その表示機能に多様性をもたらすことができるものである。
【発明を実施するための最良の形態】
【００１９】
以下、図面を参照しながら本発明の画像撮影装置の一実施の形態を詳細に説明する。  
図１は、本発明の画像撮影装置１００の外観を示す斜視図であり、画像撮影装置１００は、撮影装置本体１０１と表示部１０２を有している。  
撮影装置本体１０１は、外形が略直方体に形成され、広面積面１０３に表示器を構成するＬＣＤパネル１０４が設けられ、さらにその面１０３の端部に複数の操作スイッチで構成される操作入力部１０５が形成されている。操作入力部１０５は、シャッターボタン１０５ａと、十字ボタン１０５ｂと、モード切換えボタン１０５ｃと、再生ボタン１０５ｄとズーム調整ボタン１０５ｅを含み、さらにメニューボタン１０５ｆ、２画面ボタン１０５ｇ、トリックプレイボタン１０５ｈを含む。
【００２０】
さらに撮影装置本体１０１は、面１０３の一辺に表示部１０２が取り付けられる段部１０６を有している。段部１０６は、面１０３と垂直方向にその先端が断面半円状に突出されるように辺に沿って形成され、さらにその長手方向の中間部に表示部１０２を支持するための支持部１０７が形成されている。支持部１０７は、段部１０６に対して、面１０３と垂直方向に配設された支持軸１０８によって面１０３と平行なＡ，Ｂ方向に回動可能に取り付けられている。
【００２１】
さらに、撮影装置本体１０１の側面には、メモリーカードを装着するためのカードスロット１０９が設けられている。
【００２２】
表示部１０２は、面１０３と略同形状の外形寸法を有した略直方体に形成され、その広面積面１１０に表示器を構成するＬＣＤパネル１１１が設けられ、さらに辺の一部に撮影装置本体１０１の支持部１０７が収容される凹部１１２が設けられており、表示部１０２は支持部１０７の両端部に軸１１３によってＡ，Ｂ方向と直行するＣ，Ｄ方向に回動可能に取り付けられている。
【００２３】
これによって、表示部１０２は、図１に示す状態から、それぞれのＬＣＤパネル１０４，１１１が対向する位置に折り曲げられ、さらに図１の位置で、支持軸１０８を中心にして略１８０度回転可能である。したがって、表示部１０２は、そのＬＣＤパネル１１１を表側にした状態で撮影装置本体１０１の面１０３上に倒すことが可能である。
【００２４】
さらに、表示部１０２は、その面１１２の端部に撮影用のレンズ１１４が設けられ、このレンズ１１４によって図示しない撮影素子に光学像を結象する。
【００２５】
図２は、図１に示す画像撮影装置１００の回路構成を示す回路ブロック図であり、図１と同一構成要素に同一符号を付す。
【００２６】
図２において、画像撮影装置１００の回路構成としては、機能として、まず画像を撮影して画像信号を得る撮影系、撮影系で生成される画像信号に対してホワイトバランス調整、ガンマ補正、補間、圧縮等の処理を施し、さらにメモリカードから読み出された画像信号の伸張処理等を行う画像信号処理系、画像信号処理系で処理された画像信号をメモリカードに書き込み、書き込まれた画像信号を読み出すメモリカード制御系、撮影系で生成された画像信号あるいはメモリカードから読み出された画像信号を表示する表示系及び装置全体の動作制御を行なうシステム制御系で構成される。
【００２７】
撮影系は、図１に示す表示部１０２内に組み込まれ、レンズ１１４と図示しない光学ズーム機構を含む光学系２０１と、この光学系２０１を通過した光学像がその光電変換面に結像され、その光学像を画像信号に変換して出力するＣＣＤ撮影素子２０２と、ＣＣＤ撮影素子２０２から得られる画像信号をデジタル信号に変換するＡ／Ｄ（Analog Digital）変換部２０３と、ＣＣＤ撮影素子２０２を駆動して画像信号を出力させるＣＣＤ駆動部２０４を含む。
【００２８】
光学系２０１とＣＣＤ駆動部２０４はそれぞれ後述するシステム制御系を構成するＣＰＵ（Central Processing Unit）によって制御される。光学系２０１においては例えば、光学ズーム調整、フォーカス調整等を実行する。ＣＣＤ駆動部２０４は、ＣＣＤ撮影素子２０２の電子シャッタ駆動制御あるいはシャッタ速度の調整を実行する他、ＣＣＤ撮影素子２０２を静止画像撮影素子として動作させたり、あるいは動画像撮影素子として動作させるべく動作モードの切換えを実行する。
【００２９】
信号処理系は、例えば図１に示す画像撮影装置本体１０１に組み込まれており、Ａ／Ｄ変換部２０３からのデジタル画像信号に対してホワイトバランス調整、ガンマ補正、補間処理、色変換処理等を行う信号処理部２０５と、信号処理部２０５で処理された画像信号をＪＰＥＧ（Joint Photographic Experts Group）あるいはＭＰＥＧ（Moving Picture Experts Group）規格に則って圧縮（エンコード）し、あるいは後述するメモリカードから読み出された圧縮画像信号をそれぞれの規格に基づいて伸張（デコード）するＪＰＥＧ／ＭＰＥＧ処理部２０６と、それら信号処理部２０５及びＪＰＥＧ／ＭＰＥＧ処理部２０６における信号処理を実行させるためのメモリコントローラ２０７とワークメモリ２０８を含む。メモリコントローラ２０７は、ＤＳＰ（Digital Signal Processor）としての機能も備えている。
【００３０】
メモリ制御系は、例えば図１に示す画像撮影装置本体１０１に組み込まれており、メモリコントローラ２０７とワークメモリ２０８の他、ＣＰＵ２０９とカードＩ／Ｆ（Interface）２１０及びメモリカード２１１を含む。メモリカード２１１は、例えばＤＣＦ（Design rule for Camera File system）に準じたファイルシステムで管理されるデジタルカメラ用画像ファイルフォーマット規格であるＥｘｉｆ（Exchangeable Image File Format）に基づくフォーマットで、画像信号をファイルとして記録し、かつ再生するものであり、その制御はＣＰＵ２０９によって行われる。
【００３１】
メモリ制御系でのＣＰＵ２０９の役目は、ＪＰＥＧ／ＭＰＥＧ処理部２０６で圧縮された画像信号をメモリコントローラ２０７を介して取り込み、当該画像信号をカードＩ／Ｆ２１０を駆使してファイルとしてメモリカード２１１に書き込む。また、メモリカード２１１に書き込まれた画像信号のファイルをカードＩ／Ｆ２１０を駆使して読み出し、メモリコントローラ２０７を介してＪＰＥＧ／ＭＰＥＧ処理部２０６に送り出す。ＣＰＵ２０９はメモリ２１２に蓄積されたアプリケーションプログラムによってそれら処理を実行する。メモリ２１２はそれらプログラム及びデータが蓄積されたＲＯＭ（Read Only Memory）、ワークメモリとしてのＲＡＭ（Random Access Memory）及び装置１００の設定データ等を蓄積する不揮発性メモリを含む。
【００３２】
表示系は、図１に示す表示部１０２に設けられているＬＣＤパネルとしての第１のＬＣＤ１１１と、撮影装置本体１０１に設けられているＬＣＤパネルとしての第２のＬＣＤ１０４と、それら第１及び第２のＬＣＤ１１１，１０４を駆動するためのＬＣＤドライバ２１３，２１４を有し、さらに信号処理部２０５で処理された画像信号あるいは、ＪＰＥＧ／ＭＰＥＧ処理部２０６で伸張された画像信号をメモリコントローラ２０７を介して受け、ＬＣＤ表示用の信号に変換するためのビデオデコーダ２１５と、信号処理部２０５で処理された画像信号あるいは、ＪＰＥＧ／ＭＰＥＧ処理部２０６で伸張された画像信号に対して多画面表示のための処理あるいは後述するユーザの操作に対応した画像処理を行なうグラフィックコントローラ２１６を含む。
【００３３】
グラフィックコントローラ２１６は、ビデオデコーダ２１５からの画像信号も供給されており、信号処理部２０５で処理された画像信号あるいは、ＪＰＥＧ／ＭＰＥＧ処理部２０６で伸張された画像信号をそのままＬＣＤドライバ２１４に供給して第２のＬＣＤ１０４で表示させることも可能である。
【００３４】
また、ビデオデコーダ２１５とグラフィックコントローラ２１６には、ＯＳＤ（On Screen Display）２１７で生成されたＯＳＤ信号も供給される。ＯＳＤ２１７は、例えばメモリコントローラ２０７を介したＣＰＵ２０９の制御の下、メモリ２１２に蓄積された文字、記号等のデータに基づいてＧＵＩ（Graphical User Interface）形式の画像を構築するＯＳＤ信号を生成して出力する。ＯＳＤ信号としては、例えば装置１００の設定を行うためのメニュー画像信号であったり、あるいは装置１００の動作状態を表示するめたの画像信号であったり、ユーザが例えば選択項目を選択するためのカーソルであったりする。
【００３５】
最後にシステム制御系は、ＣＰＵ２０９、メモリ２１２の他、図１に示すシャッタボタン１０６、十文ボタン１０７、記録モードを静止画モードあるいは動画モードに切換えるモード切換えボタン１０８、記録された静止画あるいは動画を再生する再生ボタン１０９、ズーム調整ボタン１１０等を含む操作入力部１０５と、タッチパネルＩ／Ｆ２１８及び入力部２１９を含む。タッチパネルＩ／Ｆ２１８は、ＣＰＵ２０９の制御の下、撮影装置本体１０１の第２のＬＣＤ１０４をタッチパネルとしての機能を持ったものに変えるものであり、入力部２１９は、第２のＬＣＤ１０４の表面そのものになる。
【００３６】
以上のように構成された画像撮影装置１００の動作について説明する。通常の静止画撮影動作は、まず操作入力部１０５の動作切換えボタン１０５ｃによって静止画記録モードに設定する。
【００３７】
次に、図１に示す表示部１０２をＡ，Ｂ方向に１８０度回転させて、レンズ１１４を被写体に向ける。それによって、光学系２０１を介してＣＣＤ撮影素子２０２に結像された画像は、画像信号として読み出されて、Ａ／Ｄ変換部２０３でデジタル信号に変換される。さらに信号処理部２０５でワークメモリ２０８とメモリコントローラ２０７を用いた処理が施され、その後メモリコントローラ２０７からビデオデコーダ２１５に取り込まれる。
【００３８】
ビデオデコーダ２１５で、ＬＣＤで表示するための信号に変換され、ＬＣＤドライバ２１３を介して第１のＬＣＤ１１１に供給されて表示される。
【００３９】
ユーザは、この第１のＬＣＤ１１１に表示された画像によって、撮影の構図を決め、操作入力部１０５のシャッタボタン１０５ａを操作する。それによって、ＣＰＵ２０９は、ＣＣＤ駆動部２０４を駆使して、ＣＣＤの電荷を一旦クリアした後、新たに蓄積された一画面に対応する電荷を順次読み出してＡ／Ｄ変換部２０３でデジタル信号に変換した後、信号処理部２０５、メモリコントローラ２０７を介してワークメモリ２０８に記憶させる。
【００４０】
信号処理部２０５は、ワークメモリ２０８に記憶された画像信号に対しメモリコントローラ２０７を介して、ホワイトバランス補正、ガンマ補正、補間処理等を施して、再びワークメモリ２０８に記憶させる。
【００４１】
ワークメモリ２０８に記憶された画像信号は、メモリコントローラ２０７で読み出されて、ＪＰＥＧ／ＭＰＥＧ処理部２０６に取り込まれ、ここでＪＰＥＧ規格に基づく圧縮処理が施される。
【００４２】
同時に、ＣＰＵ２０９はＪＰＥＧ／ＭＰＥＧ処理部２０６で圧縮された画像信号をファイルとして、カードＩ／Ｆ２１０を駆使してメモリカード２１１に記憶させる。それによって、静止画像の撮影処理が完了する。この際、静止画像はＤＣＦに準じたファイル名が付されて記録されると共に、Ｅｘｉｆに則った属性データ（日時及び一連番号等）も一緒に記録される。
【００４３】
静止画像の撮影処理が完了したら、再びＣＣＤ撮影素子２０２から出力される画像信号をＡ／Ｄ変換部２０３でデジタル信号に変換して、ワークメモリ２０８に順次記憶させ、所定の処理を施して、ビデオデコーダ２１５、ＬＣＤドライバ２１３を介して第１のＬＣＤ１１１で表示させ、次の撮影に備える。
【００４４】
撮影した画像信号を表示させて確認する場合には、操作入力部１０５の再生ボタン１０５ｄを操作すれば、ＣＰＵ２０９は、ＯＳＤ２１７を駆使して、メモリカード２１１に記憶されている画像信号のファイルリストを、一緒に記録されている属性データと共に表示用の信号として生成し、これをグラフィックコントローラ２１６に送って、ＬＣＤドライバ２１４を介して第２のＬＣＤ１０４に表示させる。
【００４５】
ユーザは、操作入力部１０５の十字ボタン１０５ｂを使って、表示されているリストから再生したい画像を選択する。それによって、ＣＰＵ２０９がその画像信号をメモリカード２１１から読み出して、ＪＰＥＧ／ＭＰＥＧ処理部２０６で伸張処理を施して、非圧縮の画像信号としてワークメモリ２０８に記憶させる。
【００４６】
さらにメモリコントローラ２０７を介してワークメモリ２０８に記憶された画像信号を読み出して、ビデオデコーダ２１５に送り、ＬＣＤドライバ２１３を経て第１のＬＣＤ１１１で表示させる。
【００４７】
また、動画を記録する場合には、操作入力部１０５の動作モード切換えボタン１０５ｃによって、動画記録モードを設定し、必要に応じて表示部１０２を動かして光学系のレンズ１１６を被写体に向け、シャッターボタン１０５ａを押す。
【００４８】
それによって、ＣＣＤ撮影素子２０２からの画像信号は、Ａ／Ｄ変換部２０３を介して信号処理部２０５からメモリコントローラ２０７を介してワークメモリ２０８に記憶されるが、信号処理部２０５は、このワークメモリ２０８に記憶された画像信号に対して、ホワイトバランス調整等の静止画像撮影と同等の処理の他、解像度を低下させて動画として充分な解像度に変換する。
【００４９】
ＪＰＥＧ／ＭＰＥＧ処理部２０６では、メモリコントローラ２０７を介して、ワークメモリ２０８を用いて、信号処理部２０５で処理された画像信号をＭＰＥＧ規格に基づいて圧縮する。ＣＰＵ２０９はカードＩ／Ｆ２１０を介して、圧縮された画像信号をファイルとしてメモリカード２１１に書き込む。この動画像の記録においては、属性データとして例えば撮影した年月日時刻データが一緒に書き込まれる。この目的のため、ＣＰＵ２０９は時計機能を内部に備えている。
【００５０】
動画像の記録処理は、操作入力部１０５のシャッタボタン１０５ａが再び操作されるまで、連続的に継続して行われ、それによって圧縮された動画像信号のファイルがメモリカード２１１に書き込まれるものである。
【００５１】
メモリカード２１１に書き込まれた動画像を再生する場合には、操作入力部１０５の再生ボタン１０５ｄを操作すると、ＣＰＵ２０９はメモリカード２１１から記録されている動画ファイルの一覧を読み出して、これをカードＩ／Ｆ２１０を介して取り込み、ＯＳＤ２１７を駆使して表示リストを生成する。さらに、ＣＰＵ２０９は、生成されたリストを例えばグラフィックコントローラ２１６に送って、ＬＣＤドライバ２１４を介して第２のＬＣＤ１０４に表示させる。
【００５２】
ユーザは、操作入力部１０５の十字ボタン１０５ｂを使って、表示されているリストから再生したい画像を選択する。それによって、ＣＰＵ２０９がその画像信号をメモリカード２１１から読み出し、ワークメモリ２０８及びメモリコントローラ２０７を駆使してＪＰＥＧ／ＭＰＥＧ処理部２０６で伸張処理を施して、非圧縮の動画像信号としてビデオデコーダ２１５に導出し、ＬＣＤドライバ２１３を介して第１のＬＣＤ１１３で表示させる。
【００５３】
以上のようにして、静止画像の記録及び再生と、動画像の記録再生が実行可能であるが、本発明はさらに、第２のＬＣＤ１０４を効果的に用いて、多様な機能を実現するものであり、以下その実施態様について詳細に説明する。
【００５４】
図３は、本発明の撮影装置１００の一実施の形態を説明する構成図であり、この実施の形態においては、画像撮影装置本体１０１の第２のＬＣＤ１０４には、メモリカード２１１に記録された静止画像のサムネイル画像が表示されており、表示部１０２のＬＣＤ１１１には、そのサムネイル画像から選択された画像が表示されている。なお、図３において、図１と同一構成部分に同じ符号を付す。
【００５５】
すなわち、ユーザが静止画像を再生しようとする場合、撮影装置本体１０１の操作入力部１０５の動作モード切換えボタン１０５ｃを操作して静止画モードに切換え、次いで再生ボタン１０５ｄを操作する。
【００５６】
それによって、ＣＰＵ２０９は、メモリカード２１１からサムネイル画像信号を読み出して、これをメモリコントローラ２０７を介してグラフィックコントローラ２１６に送る。グラフィックコントローラ２１６では、表示用のサムネイル画像を構築して、ＬＣＤドライバ２１４を介して第２のＬＣＤ１０４で表示させる。
【００５７】
このとき、ＣＰＵ２０９は、同時にＯＳＤ２１７を駆使して、カーソル信号を生成して、グラフィックコントローラ２１６に供給し、サムネイル画像に重畳させる。それによってユーザが、表示されたサムネイル画像の内から、このカーソルで所望の画像を選択できるようになる。
【００５８】
図３において、斜線で示す部分がカーソル３０１であり、十字ボタン１０５ｂによって縦方向及び横方向に移動させることができる。カーソル３０１で囲まれたサムネイル画像３０２に対応する静止画像３０３が第１のＬＣＤ１１１で表示されている。
【００５９】
すなわち、ＣＰＵ２０９は、カーソル３０１が位置するサムネイル画像に対応するファイルをメモリカード２１１から読み出し、メモリコントローラ２０７及びワークメモリ２０８を用いてＪＰＥＧ／ＭＰＥＧ処理部２０６によって伸張させ、非圧縮の画像信号としてビデオデコーダ２１５に導出する。ビデオデコーダ２１５で表示のための処理を施して、ＬＣＤドライバ２１３を介して第１のＬＣＤ１１１で表示させるものである。
【００６０】
このように、図３に示す実施の形態においては、サムネイル画像とそのサムネイル画像から選択された画像をそれぞれ別のＬＣＤで表示するようにしたので、ユーザは、メモリカード２１１に書き込まれた静止画像の全体を常に把握しつつ、その内から選択した静止画像を大きなサイズで表示させることができるため、操作性を向上させることができるものである。
【００６１】
図４の実施の形態は、メモリカード２１１に書き込まれた静止画像が、撮影装置本体１０１のＬＣＤ１０４で表示され、さらに表示部１０２のＬＣＤ１１１では、ＬＣＤ１０４で表示された静止画像の拡大画像が表示されている。
【００６２】
図４において、第２のＬＣＤ１０４には、メモリカード２１１から読み出された静止画像４０１が表示されている。このとき、撮影装置本体１０１においては、メモリカード２１１から読み出されて、ＪＰＥＧ／ＭＰＥＧ処理部２０６で伸張されて復元された非圧縮の画像信号が、ワークメモリ２０８に蓄積された状態にあり、表示されている画像４０１はそこから継続的に読み出され、グラフィックコントローラ２１６で処理されたものである。
【００６３】
そのような状態において、操作入力部１０５のズームボタン１０５ｅを操作すると、ＣＰＵ２０９は、メモリコントローラ２０７を介してＯＳＤ２１７を駆使し、第２のＬＣＤ１０４の画面内に表示される枠を構築し、これをグラフィックコントローラ２１６に送り、ワークメモリ２０８から読み出されている静止画像４０１に重畳させる。それによって、第２のＬＣＤ１０４で表示されている画像４０１内にズーム表示枠４０２が表示される。
【００６４】
それと同時に、ＣＰＵ２０９は、メモリコントローラ２０７を駆使して、ワークメモリ２０８に蓄積されている画像信号のズーム表示枠４０２で選択された部分（枠の内側）を、第１のＬＣＤ１１１の画面全体に表示されるように拡大して、ビデオデコーダ２１５に送り、ＬＣＤドライバ２１３を介して第１のＬＣＤ１１１で画像４０３として表示させる。
【００６５】
操作入力部１０５のズームボタン１０５ｅは、いわゆるシーソ型操作ボタンであり、一方向に押しつづけると、ズーム表示枠４０２が大きくなり、第１のＬＣＤ１１１で表示される静止画像の拡大率が小さくなり、反対側に押しつづけると、ズーム表示枠４０２が小さくなって、拡大率が大きくなる。
【００６６】
以上のように、図４に示す実施の形態においては、画像撮影装置本体１０１のＬＣＤ１０４で表示されている画像に対して、ズーム表示枠４０２を表示させることで、その枠で選択された範囲の拡大画像を表示部１０２のＬＣＤ１１１で表示させるように構成したので、さらに操作性を向上させることができるものである。
【００６７】
さらに、他の実施の形態を図５に示す。図５においては、撮影装置本体１０１のＬＣＤ１０４に、メモリカード２１１から再生された静止画像５０１を表示し、表示部１０２のＬＣＤ１１１には、ＣＣＤ撮像素子２０２で撮影されている画像５０２を表示するように構成したものである。あるいは、撮影装置本体１０１のＬＣＤ１０４に静止画像５０１を表示し、表示部１０２のＬＣＤ１１１にメモリカード２１１から読み出した動画像５０２を表示するように構成したものである。
【００６８】
例えば、図３に示す静止画像表示状態から、操作入力部１０５の２画面ボタン１０５ｇを操作すると、それまで表示部１０２のＬＣＤ１１１で表示されていた画像が、図５に示すように撮影装置本体１０１のＬＣＤ１０４に画像５０１として表示され、表示部１０２のＬＣＤ１１１には、ＣＣＤ撮像素子２０２で撮影した画像５０２が表示される。
【００６９】
すなわち、２画面ボタン１０５ｇが操作されると、ＣＰＵ２０９は、それまで、ワークメモリ２０８から読み出されて第１のＬＣＤ１１１に表示されている静止画像信号を、グラフィックコントローラ２１６からＬＣＤドライバ２１４を介して第２のＬＣＤ１０４で表示させるように切換える。さらに、ＣＣＤ撮像素子２０２で撮影された画像信号を、Ａ／Ｄ変換部２０３、信号処理部２０５、メモリコントローラ２０７を介してビデオデコーダ２１５に送り、ＬＣＤドライバ２１３を経て第１のＬＣＤ１１１で表示させる。
【００７０】
図５に示す状態から、例えばさらに２画面ボタン１０５ｇを操作すると、図６に示すように、表示部１０２のＬＣＤ１１１には、メモリカード２１１から読み出された動画像６０１が表示されるようになる。このときに表示される動画像は、メモリカード２１１に書き込まれている動画像の内、例えば最も新しく書き込まれたものである。また、撮影装置本体１０１のＬＣＤ１０４には、図５と同様の静止画像６０２が表示される。
【００７１】
図５の状態から、２画面ボタン１０５ｇが操作されると、ＣＰＵ２０９は、メモリカード２１１から最新の動画像を読み出して、ワークメモリ２０８及びメモリコントローラ２０７を用いて、ＪＰＥＧ／ＭＰＥＧ処理部２０６で伸張処理を施し、ビデオデコーダ２１６に送り、ＬＣＤドライバ２１３を介して第１のＬＣＤ１１１で表示させる。
【００７２】
なお、以上説明した２画面ボタン１０５ｇによる表示の形態は、図５及び図６で示すものに限定されるものではなく、各画像はいずれのＬＣＤで表示させるようにしてもよいものである。
【００７３】
図５及び図６に示す実施の形態によれば、２つのＬＣＤ１０４，１１１をそれぞれ独立させて使用するようにしたので、多様な表示形態を行わせることができるものである。例えば、一方のＬＣＤ１１１で動画を表示させ、他方のＬＣＤ１０４にはその動画に関連する静止画像を表示させるように構成することもできる。さらにその静止画像も、動画のシーンに合せて順次切換えるようにしてもよい。この場合、メモリカード２１１に書き込む際に、互いのファイルをその属性で関連付けて記録し、読み出す際に、属性に基づいて特定すればよい。
【００７４】
さらに、他の実施の形態を図７に示す。図７においては、表示部１０２のＬＣＤ１１１に動画７０１を表示させると共に、撮影装置本体１０１のＬＣＤ１０４をタッチパネル形式のジョグダイアル７０２として機能させ、このジョグダイアル７０２をユーザが指でなぞることで、動画の特殊再生を行わせることが可能なように構成したものである。
【００７５】
すなわち、ＬＣＤ１０４，１１１のいずれかに動画が表示されている状態において、ＬＣＤ撮影装置本体１０１のトリックプレイボタン１０５ｈを操作すると、ＣＰＵ２０９は、動画像を表示部１０２のＬＣＤ１１１で表示させ、撮影装置本体１０１のＬＣＤ１０４をタッチパネルとして動作するように切換え、さらにジョグダイアルが表示されるように切換える。
【００７６】
ユーザが図７に示すジョグダイアル７０２を操作すると、その情報は、図２の入力部２１９からタッチパネルＩ／Ｆを介してＣＰＵ２０９に取り込まれる。タッチパネルＩ／Ｆは、ユーザの指の回転方向及び回転角度を判別して、ＣＰＵ２０９に判別信号を送る。
【００７７】
例えば、ＣＰＵ２０９は、ユーザの指が右方向に所定角度回転したとする判別信号を受けると、早送り再生を実行する。すなわち、例えば、ＣＰＵ２０９は、ＪＰＥＧ／ＭＰＥＧ処理部２０６を駆使して、メモリカード２１１から読み出されるＭＰＥＧ画像信号から、Ｉ（Intra）ピクチャを抽出してデコードし、これをビデオデコーダ２１５に供給して画像表示用の信号に変換して、ＬＣＤドライバ２１３を介してＬＣＤ１１１で表示させる。
【００７８】
ジョグダイアル７０２の回転角度を大きくすると、早送り再生速度が早くなり、ＣＰＵ２０９はＩピクチャが適度に間引かれて表示されるように制御する。
【００７９】
ジョグダイアル７０２を逆方向に回転させると、逆送り高速再生になる。すなわち、Ｉピクチャが逆の順序で表示されるようになる。あるいは、ジョグダイアル７０２を逆方向に回転させた場合に、正方向スロー再生、スチル（静止画）再生を経て、逆方向スロー再生から逆送り高速再生となるように設定することも可能である。スロー再生の場合には、ワークメモリ２０８を用いて、同じ画像を繰り返し読み出して表示することになり、ワークメモリ２０８に蓄積される画像の更新頻度でスロー再生速度が決まる。
【００８０】
図７の実施の形態によれば、動画の特殊再生を撮影装置本体１０１のＬＣＤ１０４を用いたジョグダイアルで実行させることができるため操作性が向上するものである。
【００８１】
さらに、図８の実施の形態においては、表示部１０２のＬＣＤ１１１に静止画、動画、あるいはＣＣＤ撮像素子２０２で撮影した画像８０１を表示しつつ、撮影装置本体１０１のＬＣＤ１０４に撮影装置１００の各種設定を行うためのメニュー８０２を表示するように構成したものである。
【００８２】
すなわち、ユーザが操作入力部１０５のメニューボタン１０５ｆを操作すると、ＣＰＵ２０９は、ＯＳＤ２１７を駆使して、撮影装置１００の初期設定等を行うためのメニューを表示するための画像を構築し、これをグラフィックコントローラ２１６からＬＣＤドライバ２１４を介して、ＬＣＤ１０４で表示させる。
【００８３】
ユーザは、操作入力部１０５の十字ボタン１０５ｂを操作して、ＬＣＤ１０４で表示されたメニュー項目を示すアイコンにカーソル合せ、十字ボタン１０５ｂの中央の決定ボタンを操作することで、その項目を設定するための画像を表示させることができる。
【００８４】
この実施の形態によれば、画像に係る、例えば、ホワイトバランス、先鋭度等の調整をする場合、実際に表示部１０２のＬＣＤ１１１に表示される画像を見ながら調整することができるので、簡単かつ確実に調整をすることができるものである。
【００８５】
なお、図１においては、レンズ１１４が表示部１０２のＬＣＤ１１１と同じ面に設けられているが、レンズ１１４を設ける位置は、図１に示す位置に限定されるものではなく、表示部１０２のＬＣＤ１１１とは反対の面に設けるようにしてもよく、あるいは撮影装置本体１０１の広面積面１０３に設けたり、ＬＣＤ０１４とは反対側の面に設けるようにしてもよいものである。
【００８６】
以上説明したように、本発明の画像撮影装置によれば、表示部１０２のＬＣＤ１１１の他に、撮影装置本体１０１にもＬＣＤ１０４を設けたので、撮影装置本体１０１のＬＣＤ１０４を、操作用の表示手段として適用でき、その結果、表示部１０２のＬＣＤ１１１で表示される実際の画像を見ながら、表示画像の選択、ズーム調整、画質調整等を実行することできるため、操作性を著しく向上させることができるものである。
【００８７】
また、さらに２つのＬＣＤ１０４，１１１をそれぞれ単独で用いて、異なる種類の画像を同時に表示させるように構成することも可能であり、その操作及び装置１００の動作に多様性をもたらすことができ、商品としての価値を高めることができるものである。
【図面の簡単な説明】
【００８８】
【図１】本発明に係る画像撮影装置の一実施の形態の外観を示す斜視図。
【図２】図１の画像撮影装置の回路構成の一例を示すブロック図。
【図３】本発明の画像撮影装置の一実施の形態の動作を説明するための図。
【図４】本発明の画像撮影装置の他の実施の形態の動作を説明するための図。
【図５】本発明の画像撮影装置の他の実施の形態の動作を説明するための図。
【図６】本発明の画像撮影装置の他の実施の形態の動作を説明するための図。
【図７】本発明の画像撮影装置の他の実施の形態の動作を説明するための図。
【図８】本発明の画像撮影装置の他の実施の形態の動作を説明するための図。
【符号の説明】
【００８９】
１００…画像撮影装置
１０１…画像撮影装置本体
１０２…表示部
１０３，１１０…広面積面
１０４…第２のＬＣＤ
１０５…操作入力部
１０６…段部
１０７…支持部
１０８…支持軸
１０９…メモリカードスロット
１１１…第１のＬＣＤ
１１２…凹部
１１３…軸
１１４…レンズ
【図１】
2005318258.tif 000003
【図２】
2005318258.tif 000004
【図３】
2005318258.tif 000005
【図４】
2005318258.tif 000006
【図５】
2005318258.tif 000007
【図６】
2005318258.tif 000008
【図７】
2005318258.tif 000009
【図８】
2005318258.tif 000010